(57)【要約】      （修正有）【課題】割れやひびの発生等を確実に防止することのできる非鉄金属溶湯保持炉を提供する。【課題手段】内部に非鉄金属溶湯Ｗを貯える良伝熱耐火材料製内容器１０と、内容器１０の側壁１０ａと底壁１０ｂの外面側に隙間を保って配置した耐熱鋼製の外容器２０と、内容器１０と外容器２０との間の隙間に充填された良伝熱耐火材製粉粒物４０と、外容器２０の側壁１０ａの外面に設けられたヒーターとで非鉄金属溶湯保持炉１を構成する。【選択図】図２
0003165600.tif 000002
【実用新案登録請求の範囲】
【請求項１】
内部に非鉄金属溶湯（Ｗ）を貯える良伝熱耐火材料製内容器（１０）と、該内容器の側壁（１０ａ）と底壁（１０ｂ）の外面に接触配置された耐熱鋼製外容器（２０）と、該外容器の側壁の外面に設けたヒーター（３０）と、を備えることを特徴とする非鉄金属溶湯保持炉。
【請求項２】
内部に非鉄金属溶湯（Ｗ）を貯える良伝熱耐火材料製内容器（１０）と、該内容器の側壁（１０ａ）と底壁（１０ｂ）の外面側に隙間Ｇを保って配置した耐熱鋼製の外容器（２０）と、該内容器と外容器との間の隙間に充填された良伝熱耐火材製粉粒物（４０）と、前記外容器の側壁の外面に設けたヒーター（３０）と、を備えることを特徴とする非鉄金属溶湯保持炉。
【考案の詳細な説明】
【技術分野】
【０００１】
本考案は、アルミニウムや亜鉛等の非鉄金属を溶解し、その溶解状態（溶湯）を保持するための溶湯保持炉に関するものである。
【背景技術】
【０００２】
図５を参照して説明する。アルミニウムや亜鉛などの非鉄金属を溶解し、その溶解状態（溶湯Ｗ）を保持するための溶湯保持炉５０として、セラミックスなどの耐火材料で形成した内容器５１を、同様の耐火材料で形成した外容器５２で覆うと共に、溶湯Ｗを貯えた内容器の内部にヒーター５３の略下半分を浸漬した状態で設け、そのヒーター５３で非鉄金属を溶解して溶湯Ｗとし、それを保持するものがある。なお、外容器５２は液密性を高める等の目的で、内容器５１の数倍の肉厚を備えている。
【考案の概要】
【考案が解決しようとする課題】
【０００３】
しかし、こうした構成の溶湯保持炉５０においては、長期の使用によって内容器５１および外容器５２に割れやひびが発生した場合、溶湯Ｗが外部へ漏れ出してしまうといった問題がある。
【０００４】
また、内容器５１と外容器５２を別の材料で形成した場合、両者の熱膨張率が異なることから、内容器５１および外容器５２に割れやひびが発生し易いといった問題もある。
【０００５】
さらに、ヒーター５３を、内容器５１の内部にその下半分が溶湯Ｗに浸漬する状態で設けているので、湯面から露出している部分に付着した溶湯Ｗが酸化固化（コランダム化）して破損し易くなるといった問題もある。
【０００６】
本考案はこうした問題に鑑み創案されたもので、割れやひびの発生等を確実に防止することのできる非鉄金属溶湯保持炉を提供することを課題とする。
【課題を解決するための手段】
【０００７】
図１乃至図４を参照して説明する。請求項１に記載の非鉄金属溶湯保持炉１は、内部に溶湯Ｗを貯える良伝熱耐火材料製内容器１０と、該内容器１０の側壁１０ａと底壁１０ｂの外面に接触状態で設けられた耐熱鋼製の外容器２０と、該外容器２０の側壁１０ａの外面に設けられたヒーター３０と、を備えることを特徴とするものである。
【０００８】
請求項２に記載の非鉄金属溶湯保持炉１は、内部に溶湯Ｗを貯える良伝熱耐火材料製内容器１０と、該内容器１０の側壁１０ａと底壁１０ｂの外面側に隙間Ｇを保って配置した耐熱鋼製の外容器２０と、前記内容器１０と外容器２０との間の隙間Ｇに充填された良伝熱耐火材製粉粒物４０と、前記外容器２０の側壁１０ａの外面に設けられたヒーター３０と、を備えることを特徴とするものである。
【考案の効果】
【０００９】
請求項１に記載の非鉄金属溶湯保持炉１は、耐火性及び良熱伝導性並びに耐アルミ侵蝕性に優れた内容器１０の側壁１０ａと底壁１０ｂの外面に耐熱鋼製の外容器２０を接触状態で設けており、この外容器２０には割れやひびが発生しないので、長期間の使用によって内容器１０に割れやひびが発生することがあっても、内容器１０の内部に貯えられた溶湯Ｗは、外容器２０のはたらきによって外部への漏出が未然に防止される。
【００１０】
なお、ヒーター３０は外容器２０の側壁１０ａの外面に設けているが、当該外容器２０によって溶湯Ｗの漏れが防止されるので、ヒーター３０が溶湯Ｗに直接触れて短絡を引き起こしてしまい、その結果、当該溶湯保持炉１が使用不能になるといった事態も未然に防止することができる。
【００１１】
請求項２に記載の非鉄金属溶湯保持炉１は、請求項１に記載の考案と同様の効果を発揮する。また、内容器１０と外容器２０との間の隙間Ｇに、良伝熱耐火材製粉粒物４０を充填しているので、内容器１０の割れやひびをより確実に防止することができる。
【００１２】
すなわち、内容器１０と外容器２０は材質が異なるために熱膨張率が異なり、従って、高温加熱時において、両者の間に熱膨張の差が生じる。ここで、この内容器１０と外容器２０の間の隙間Ｇに粉粒物４０を充填しているので、この粉粒物４０が両者の熱膨張の差を吸収する。その結果、内容器１０が、外容器２０の熱膨張の影響を受けて割れる等の事態が未然に防止される。これにより、非鉄金属溶湯保持炉１の寿命を格段に向上させることができる。
【図面の簡単な説明】
【００１３】
【図１】本発明に係る非鉄金属溶湯保持炉の実施形態を示す図２のＣ−Ｃ及び図３のＤ−Ｄに相当する水平切断平面図である。
【図２】図１のＡ−Ａ線断面図である。
【図３】図１のＢ−Ｂ線断面図である。
【図４】図２のＸ部拡大図である。
【図５】従来例に係る非鉄金属溶湯保持炉を示す断面図である。
【考案を実施するための形態】
【００１４】
本考案に係る非鉄金属溶湯保持炉１の実施形態を、図１乃至図４に示す。これは、ダイキャストマシンに溶湯Ｗを供給するためのものであり、内容器１０、外容器２０、粉粒物４０およびヒーター（パネルヒーター）３０とで構成される。
【００１５】
内容器１０は、黒鉛や炭化硅素等の良伝熱耐火材製で形成され、内部に、アルミニウムや亜鉛などの非鉄金属を溶解して形成した溶湯Ｗを貯えている。本実施形態に係る内容器１０は、溶湯Ｗを加熱する室である第一加熱部１１と第二加熱部兼溶湯Ｗをダイキャストマシンに供給する室である汲出部１２を備え、アルミ材料及び溶湯供給部１３を備える。なお、第一加熱部１１、第二加熱兼汲出部１２および供給部１３の境界部分には、略下半部に開口部１５を備えた仕切壁１４を設けている。また、第一加熱部１１には開閉自在の蓋体１６を設け、より効率的な加熱を可能としている。
【００１６】
外容器２０は、内容器１０の側壁１０ａおよび底壁１０ｂの外面側に隙間Ｇを保って配置してある。
【００１７】
なお、この外容器２０は耐熱鋼製であるため液密性に極めて優れており、従って、その肉厚を内容器１０の数分の一の薄肉に形成している。これにより、従来技術と比較して、当該保持炉１の体積を大幅に小さくすることができると共に、ヒーター３０の熱を溶湯に効果的に供給することができる。
【００１８】
粉粒物４０は、内容器１０と外容器２０との間の隙間Ｇに充填された粒状または粉末状で、黒鉛や炭化硅素等の良伝熱耐火材製である。
【００１９】
そして、ヒーター３０は外容器２０の側壁１０ａの外面に設けられ、内容器１０の内部に貯えられた溶湯Ｗを加熱し、その状態を保持する。本実施形態では、第一加熱部１１と第二加熱兼汲出部１２を加熱すべく５箇設けている。このヒーター３０は、電力によって高熱を発生させるものである。ヒーター３０の外側面及び外容器２０の露出外側面並びに底面部分には断熱材Ｓが設けられている。
【００２０】
本実施形態に係る非鉄金属溶湯保持炉１は、耐火材料製内容器１０の側壁１０ａと底壁１０ｂの外面側に耐熱鋼製外容器２０を設けており、この外容器２０は長期の使用によっても割れたりひびが生じるといったことがない。従って、内容器１０に割れやひびが発生することがあっても、外容器２０のはたらきによって溶湯Ｗが外部への漏れ出すことがない。従って、ヒーター３０が溶湯Ｗに触れて短絡し、当該溶湯保持炉１が使用不能になるといった事態を未然に防止することができる。
【００２１】
また、外容器２０を設けたことにより、内容器１０に割れなどが生じて一部が欠落した場合、溶湯Ｗを一時的に抜き出した後、その欠落部分をパッチング材（耐火物修理材）等を用いて短時間で補修することができる。従って、非鉄金属溶湯保持炉１の全体を取替えることなく再び使用することができ、生産性および経済性に極めて優れる。
【００２２】
また、この非鉄金属溶湯保持炉１は、内容器１０と外容器２０との間の隙間Ｇに、良伝熱耐火材製粉粒物４０を充填しているので、高温加熱時において熱膨張率の異なる内容器１０と外容器２０が異なる度合いで熱膨張すると、その差を粉粒物４０が吸収する。これにより、内容器１０が、外容器２０との熱膨張の差によって割れたり、ひびを生じさせてしまうといった事態を未然に防止することができる。その結果、当該非鉄金属溶湯保持炉１の寿命を大幅に向上させることができる。
【００２３】
また、この非鉄金属溶湯保持炉１は、ヒーター３０を外容器２０の外面に設けているので、内容器１０の内部に溶湯Ｗに浸漬させた状態で設ける場合のような固化酸化物（コランダム化）を発生させない。従って、溶湯Ｗにハードスポットが生じ難く、その結果、溶湯Ｗの品質の大幅な向上を図ることができる。
【００２４】
なお、上記実施形態に係る非鉄金属溶湯保持炉１は、内容器１０と外容器２０との間に隙間Ｇを形成し、その隙間Ｇに粉粒物４０を充填した構成としているが、本発明はこれに限定されるものではなく、粉粒物４０を設けず、内容器１０の側壁１０ａと底壁１０ｂの外面に外容器２０を直接接触させた構成とすることもできる。
【符号の説明】
【００２５】
１        非鉄金属溶湯保持炉
１０      内容器
１０ａ    側壁
１０ｂ    底壁
１１      第一加熱部
１２      第二加熱兼汲出部
１３      供給部
１４      仕切壁
１５      開口部
１６      蓋体
２０      外容器
３０      ヒーター
４０      粉粒物
５０      非鉄金属溶湯保持炉
５１      内容器
５２      外容器
５３      ヒーター
Ｇ        隙間
Ｓ        断熱材
Ｗ        溶湯
【図１】
0003165600.tif 000003
【図２】
0003165600.tif 000004
【図３】
0003165600.tif 000005
【図４】
0003165600.tif 000006
【図５】
0003165600.tif 000007